(57)【要約】【課題】複数の情報処理装置の中からユーザの端末装置がアクセスする情報処理装置をユーザが見つけられるようにする。【解決手段】端末装置１０は、自装置の位置情報と画像形成装置２０の位置情報を取得する。端末装置１０は、自装置の位置情報と画像形成装置２０の位置情報が予め定められた条件を満たした場合、ユーザへの報知を画像形成装置２０へ指示する。画像形成装置２０は、端末装置１０から報知を指示されると、ユーザが指定した態様で報知を行う。【選択図】図１
2018160011.tif 000002
【特許請求の範囲】
【請求項１】
自装置がアクセスする情報処理装置の位置情報を取得する取得手段と、
前記位置情報が表す位置と自装置の位置が予め定められた条件を満たした場合、報知を指示する指示情報を前記情報処理装置へ送信する情報送信手段と
を備える端末装置。
【請求項２】
前記情報送信手段は、前記位置情報が表す位置と自装置の位置との間の距離が予め定められた距離以下である場合、前記指示情報を送信する
請求項１に記載の端末装置。
【請求項３】
前記情報送信手段は、前記位置情報が表す位置と自装置の位置との間の距離が予め定められた距離を超える場合、前記指示情報を送信しない
請求項１に記載の端末装置。
【請求項４】
前記情報送信手段は、前記報知の態様を表す態様情報を前記情報処理装置へ送信する
請求項１から請求項３のいずれか一項に記載の端末装置。
【請求項５】
前記位置情報が表す位置と自装置の位置との間の距離が予め定められた距離以下である場合、報知を行う報知手段
を備える請求項１から請求項４のいずれか一項に記載の端末装置。
【請求項６】
前記位置情報が表す位置と自装置の位置との間の最短距離を記憶する記憶手段を有し、
前記報知手段は、前記位置情報が表す位置と自装置の位置との間の距離が前記最短距離より長い場合に報知を行う
請求項５に記載の端末装置。
【請求項７】
報知の態様を表す態様情報と、報知を指示する指示情報を取得する取得手段と、
前記取得手段が前記指示情報を取得した場合、前記取得手段が取得した態様情報が表す態様の報知を行う報知手段
を備える情報処理装置。
【請求項８】
前記取得手段は、自装置にアクセスする端末装置の位置情報を取得し、
前記報知手段は、前記位置情報が表す位置と自装置の位置が予め定められた条件を満たした場合、前記報知を行う
請求項７に記載の情報処理装置。
【請求項９】
前記報知を行う前に、報知の開始を表す画面を表示する画面表示手段
を備える請求項７または請求項８に記載の情報処理装置。
【請求項１０】
コンピュータを、
自装置がアクセスする情報処理装置の位置情報を取得する取得手段と、
前記位置情報が表す位置と自装置の位置が予め定められた条件を満たした場合、報知を指示する指示情報を前記情報処理装置へ送信する情報送信手段
として機能させるためのプログラム。
【請求項１１】
コンピュータを、
報知の態様を表す態様情報と、報知を指示する指示情報を取得する取得手段と、
前記取得手段が前記指示情報を取得した場合、前記取得手段が取得した態様情報が表す態様の報知を行う報知手段
として機能させるためのプログラム。
【請求項１２】
自装置がアクセスする情報処理装置の位置情報を取得する第１取得手段と、
前記位置情報が表す位置と自装置の位置が予め定められた条件を満たした場合、報知を指示する指示情報を前記情報処理装置へ送信する情報送信手段と
を有する端末装置と、
前記指示情報を取得する第２取得手段と、
前記第２取得手段が前記指示情報を取得した場合、予め定められた態様の報知を行う報知手段
を有する情報処理装置と
を備える情報処理システム。
【発明の詳細な説明】
【技術分野】
【０００１】
本発明は、端末装置、情報処理装置、プログラムおよび情報処理システムに関する。
【背景技術】
【０００２】
複数のプリンタ機器の中から選択したプリンタ機器で印刷を行う発明として、例えば特許文献１に開示された印刷システムがある。この印刷システムにおいては、ユーザが印刷条件を設定すると、ユーザ端末は、複数のプリンタ機器から仕様情報を取得する。ユーザ端末は、仕様情報を取得すると、設定された印刷条件に合致するプリンタ機器を探索し、設定された印刷条件に合致するプリンタ機器が抽出されると、抽出されたプリンタ機器に印刷を行わせる。
【先行技術文献】
【特許文献】
【０００３】
【特許文献１】特開２００８−２５７６１４号公報
【発明の概要】
【発明が解決しようとする課題】
【０００４】
例えば、職場によっては複数の画像形成装置が並べて設置されている場合がある。この場合、端末装置におけるユーザの操作に応じて印刷を行う画像形成装置が複数の画像形成装置のうちのどの画像形成装置であるのかわかりにくく、印刷を行う装置を探すのに時間がかかる場合がある。
【０００５】
本発明は、上述した背景の下になされたものであり、複数の情報処理装置の中からユーザの端末装置がアクセスする情報処理装置をユーザが見つけられるようにする技術を提供することを目的とする。
【課題を解決するための手段】
【０００６】
本発明の請求項１に係る端末装置は、自装置がアクセスする情報処理装置の位置情報を取得する取得手段と、前記位置情報が表す位置と自装置の位置が予め定められた条件を満たした場合、報知を指示する指示情報を前記情報処理装置へ送信する情報送信手段と
を備える。
【０００７】
本発明の請求項２に係る端末装置においては、前記情報送信手段は、前記位置情報が表す位置と自装置の位置との間の距離が予め定められた距離以下である場合、前記指示情報を送信する。
【０００８】
本発明の請求項３に係る端末装置においては、前記情報送信手段は、前記位置情報が表す位置と自装置の位置との間の距離が予め定められた距離を超える場合、前記指示情報を送信しない。
【０００９】
本発明の請求項４に係る端末装置においては、前記情報送信手段は、前記報知の態様を表す態様情報を前記情報処理装置へ送信する。
【００１０】
本発明の請求項５に係る端末装置は、前記位置情報が表す位置と自装置の位置との間の距離が予め定められた距離以下である場合、報知を行う報知手段を備える。
【００１１】
本発明の請求項６に係る端末装置は、前記位置情報が表す位置と自装置の位置との間の最短距離を記憶する記憶手段を有し、前記報知手段は、前記位置情報が表す位置と自装置の位置との間の距離が前記最短距離より長い場合に報知を行う。
【００１２】
本発明の請求項７に係る情報処理装置は、報知の態様を表す態様情報と、報知を指示する指示情報を取得する取得手段と、前記取得手段が前記指示情報を取得した場合、前記取得手段が取得した態様情報が表す態様の報知を行う報知手段を備える。
【００１３】
本発明の請求項８に係る情報処理装置においては、前記取得手段は、自装置にアクセスする端末装置の位置情報を取得し、前記報知手段は、前記位置情報が表す位置と自装置の位置が予め定められた条件を満たした場合、前記報知を行う。
【００１４】
本発明の請求項９に係る情報処理装置は、前記報知を行う前に、報知の開始を表す画面を表示する画面表示手段を備える。
【００１５】
本発明の請求項１０に係るプログラムは、コンピュータを、自装置がアクセスする情報処理装置の位置情報を取得する取得手段と、前記位置情報が表す位置と自装置の位置が予め定められた条件を満たした場合、報知を指示する指示情報を前記情報処理装置へ送信する情報送信手段として機能させるためのプログラムである。
【００１６】
本発明の請求項１１に係るプログラムは、コンピュータを、報知の態様を表す態様情報と、報知を指示する指示情報を取得する取得手段と、前記取得手段が前記指示情報を取得した場合、前記取得手段が取得した態様情報が表す態様の報知を行う報知手段として機能させるためのプログラムである。
【００１７】
本発明の請求項１２に係る情報処理システムは、自装置がアクセスする情報処理装置の位置情報を取得する第１取得手段と、前記位置情報が表す位置と自装置の位置が予め定められた条件を満たした場合、報知を指示する指示情報を前記情報処理装置へ送信する情報送信手段とを有する端末装置と、前記指示情報を取得する第２取得手段と、前記第２取得手段が前記指示情報を取得した場合、予め定められた態様の報知を行う報知手段を有する情報処理装置とを備える。
【発明の効果】
【００１８】
本発明の請求項１に係る端末装置によれば、複数の情報処理装置の中からユーザの端末装置がアクセスする情報処理装置をユーザが見つけることができる。
本発明の請求項２に係る端末装置によれば、端末装置から情報処理装置までの距離が予め定められた距離以下となると、複数の情報処理装置の中からユーザの端末装置がアクセスする情報処理装置をユーザが見つけることができる。
本発明の請求項３に係る端末装置によれば、端末装置から情報処理装置までの距離が予め定められた距離以下となるまでは、報知を行わないようにすることができる。
本発明の請求項４に係る端末装置によれば、端末装置から送信した態様情報に応じて報知を行うことができる。
本発明の請求項５に係る端末装置によれば、ユーザは、ユーザの端末装置がアクセスする情報処理装置に近づいたことを端末装置において知ることができる。
本発明の請求項６に係る端末装置によれば、ユーザの端末装置がアクセスする情報処理装置からユーザが離れていく場合、ユーザに報知することができる。
本発明の請求項７に係る情報処理装置によれば、複数の情報処理装置の中からユーザの端末装置がアクセスする情報処理装置をユーザが見つけることができる。
本発明の請求項８に係る情報処理装置によれば、端末装置から情報処理装置までの距離が予め定められた距離以下となると、複数の情報処理装置の中からユーザの端末装置がアクセスする情報処理装置をユーザが見つけることができる。
本発明の請求項９に係る情報処理装置によれば、情報処理装置を使用しているユーザに対し、報知が始まることを知らせることができる。
本発明の請求項１０に係るプログラムによれば、複数の情報処理装置の中からユーザの端末装置がアクセスする情報処理装置をユーザが見つけることができる。
本発明の請求項１１に係るプログラムによれば、複数の情報処理装置の中からユーザの端末装置がアクセスする情報処理装置をユーザが見つけることができる。
本発明の請求項１２に係る情報処理システムによれば、複数の情報処理装置の中からユーザの端末装置がアクセスする情報処理装置をユーザが見つけることができる。
【図面の簡単な説明】
【００１９】
【図１】本発明の一実施形態の情報処理システム１に係る装置を示した図。
【図２】端末装置１０のハードウェア構成を示した図。
【図３】端末装置１０において実現する機能の構成を示したブロック図。
【図４】画像形成装置２０のハードウェア構成を示したブロック図。
【図５】画像形成装置２０において実現する機能の構成を示したブロック図。
【図６】端末装置１０が表示する画面の一例を示した図。
【図７】端末装置１０が表示する画面の一例を示した図。
【図８】端末装置１０が行う処理の流れを示したフローチャート。
【図９】端末装置１０が表示する画面の一例を示した図。
【図１０】画像形成装置２０が行う処理の流れを示したフローチャート。
【発明を実施するための形態】
【００２０】
［実施形態］
（全体構成）
図１は、本発明の一実施形態の情報処理システム１に係る装置を示した図である。通信回線２は、データ通信が行われる通信回線であり、データ通信を行う複数のコンピュータ装置が接続される。通信回線２には、例えば有線ＬＡＮ（Local Area Network）および無線ＬＡＮが含まれる。
【００２１】
本発明に係る情報処理装置の一例である画像形成装置２０Ａ〜２０Ｃは、用紙に画像を形成する画像形成機能、文書を読み取るスキャン機能、複写機能、ファクシミリ機能および写真印刷機能などを備えた装置である。画像形成装置２０Ａ〜２０Ｃは、並べて設置されている。画像形成装置２０Ａ〜２０Ｃは、通信回線２に接続されており、通信回線２を介して他のコンピュータ装置と接続してデータ通信を行う。なお、画像形成装置２０Ａ〜２０Ｃの構成は同じであるため、以下、各々を区別する必要がない場合は画像形成装置２０と称する。
【００２２】
本発明に係る端末装置の一例である端末装置１０は、データ通信を行う装置であり、本実施形態においては、スマートフォンである。端末装置１０は、通信回線２に含まれている無線ＬＡＮ（Local Area Network）のアクセスポイントにアクセスして通信回線２に接続し、通信回線２を介してデータ通信を行う。本実施形態においては、複数の端末装置１０が通信回線２に接続可能であるが、図１においては、図面が煩雑になるのを防ぐため、一つの端末装置１０のみを示す。なお、端末装置１０は、スマートフォンに限定されるものではなく、例えば、タブレット端末またはラップトップ型のパーソナルコンピュータであってもよい。
【００２３】
情報処理システム１においては、端末装置１０と画像形成装置２０が通信回線２を介して通信を行い、画像形成装置２０の操作や設定を行うための画面を端末装置１０で表示し、表示された画面を操作することにより、端末装置１０から画像形成装置２０の操作や設定を行うことが可能となっている。
【００２４】
（端末装置１０の構成）
図２は、端末装置１０のハードウェア構成の一例を示したブロック図である。タッチパネル１０３は、液晶ディスプレイと、液晶ディスプレイの表示面において指の接触を検出するセンサとを組み合わせた装置である。タッチパネル１０３は、文字やＧＵＩ（Graphical User Interface）などを表示する。また、タッチパネル１０３は、ユーザが指で触れた位置をセンサで検出する。
【００２５】
通信部１０５は、通信回線２を介した通信を行う通信インターフェースとして機能する。また、通信部１０５は、移動体通信網を介して音声通話の通信およびデータ通信を行う通信インターフェースとしても機能する。
【００２６】
音声処理部１０７は、マイクロフォンとスピーカを有している。音声処理部１０７は、端末装置１０で音声通話を行う場合、通話相手の音声に係るデジタル信号が通信部１０５から供給されると、供給されたデジタル信号をアナログ信号に変換する。このアナログ信号は、スピーカへ供給され、スピーカからは、通話相手の音声が放音される。また、音声処理部１０７は、マイクロフォンが音声を収音すると、収音した音声をデジタル信号に変換する。音声処理部１０７は、端末装置１０で音声通話を行う場合、ユーザの音声を変換して得られたデジタル信号を通信部１０５へ供給する。このデジタル信号は、通信部１０５から移動体通信網へ送信され、通話相手の端末装置１０へ送信される。
【００２７】
測位部１０９は、屋外における端末装置１０の位置および屋内における端末装置１０の位置を特定する。例えば、測位部１０９は、周知のＧＰＳ（Global Positioning System）、ＢＬＥ（Bluetooth（登録商標） Low Energy）ビーコン、ＰＤＲ（Pedestrian Dead Reckoning）などの技術を用いて屋外および屋内における位置を特定し、特定した位置を表す位置情報を生成する。また、測位部１０９は、方位センサを有しており、端末装置１０が向いている方向を特定する。
【００２８】
記憶部１０２は、データを永続的に記憶する不揮発性メモリーを有している。記憶部１０２は、スマートフォンにインストールされる周知のオペレーティングシステムのプログラム、アプリケーションプログラムおよび各種プログラムが使用するファイルを記憶する。また、記憶部１０２は、画像形成装置２０の操作や設定を行うための専用のアプリケーションプログラム（以下、専用アプリと称する）および専用アプリが使用する各種情報を記憶する。
【００２９】
制御部１０１は、ＣＰＵ（Central Processing Unit）やＲＡＭ（Random Access Memory）を備えており、オペレーティングシステムのプログラムやアプリケーションプログラムを実行する。プログラムを実行している制御部１０１は、タッチパネル１０３が検出した位置と、タッチパネルに表示されている画面に応じてユーザの操作を特定し、特定した操作に応じて各部の制御や各種処理を実行する。
【００３０】
（端末装置１０の機能構成）
図３は、専用アプリを実行することにより端末装置１０において実現する機能のうち、本発明に係る特徴的な機能の構成の一例を示した機能ブロック図である。本発明の取得手段および第１取得手段の一例である取得部１００１は、画像形成装置２０の位置を表す位置情報を取得する。本発明の情報送信手段の一例である情報送信部１００２は、端末装置１０の位置と画像形成装置２０の位置が予め定められた条件を満たした場合、報知部２０９による報知を指示するメッセージ（情報）を画像形成装置２０へ送信する。本発明に係る第１の報知手段の一例である報知制御部１００３は、端末装置１０の位置と画像形成装置２０の位置が予め定められた条件を満たした場合、画像形成装置２０にユーザが近づいたことをタッチパネル１０３で報知する。
【００３１】
（画像形成装置２０の構成）
図４は、画像形成装置２０のハードウェア構成の一例を示した図である。なお、画像形成装置２０Ａ〜２０Ｃの各部を区別する必要がある場合、説明の便宜上、画像形成装置２０の符号の末尾のアルファベットを各部の符号の末尾に付加して説明を行う。例えば、画像形成装置２０Ａの各部については、各部の符号の末尾に「Ａ」を付け、画像形成装置２０Ｂの各部については、各部の符号の末尾に「Ｂ」を付け、画像形成装置２０Ｃの各部については、各部の符号の末尾に「Ｃ」を付ける。
【００３２】
操作部２０４は、画像形成装置２０を操作するための複数のボタンを有する。また、操作部２０４は、液晶ディスプレイと液晶ディスプレイの表示面において指の接触を検出するセンサとを組み合わせたタッチパネル２０４Ａを備えている。タッチパネル２０４Ａは、画像形成装置２０を操作するためのＧＵＩの画面を表示する。なお、本実施形態においては、画像形成装置２０はタッチパネル２０４Ａを有し、タッチパネル２０４Ａとボタンで画像形成装置２０を操作可能であるが、タッチパネル２０４Ａの替わりに液晶ディスプレイを有し、液晶ディスプレイでＧＵＩの画面を表示し、ボタンで画像形成装置を操作する構成であってもよい。
【００３３】
通信部２０５は、通信回線２に有線または無線で接続されており、通信回線２に接続されている他の装置とデータ通信を行う。
【００３４】
スキャン部２０６は、文書を光学的に読み取り、読み取った文書の画像を表す画像ファイルを生成する画像読取装置（図示略）を備えている。画像処理部２０８は、用紙に形成する画像を表す画像データに各種処理を施すものである。画像処理部２０８は、制御部２０１から供給される画像データが表す画像に色補正や階調補正等の画像処理を施し、画像処理が施された画像からＹｅｌｌｏｗ（Ｙ）、Ｍａｇｅｎｔａ（Ｍ）、Ｃｙａｎ（Ｃ）、Ｂｌａｃｋ（Ｋ）の各色の画像の画像データを生成して画像形成部２０７へ出力する。
【００３５】
画像形成部２０７は、電子写真方式によって用紙にトナー像を形成する。具体的には、画像形成部２０７は、Ｙｅｌｌｏｗの色のトナー像を形成する画像形成部、Ｍａｇｅｎｔａの色のトナー像を形成する画像形成部、Ｃｙａｎの色のトナー像を形成する画像形成部、Ｂｌａｃｋの色のトナー像を形成する画像形成部を備えている。各画像形成部は、画像処理部２０８が出力した画像データに従って感光体上に静電潜像を形成した後、感光体表面にトナーを付着させてＹｅｌｌｏｗ、Ｍａｇｅｎｔａ、Ｃｙａｎ、Ｂｌａｃｋの各色のトナー像を形成し、このトナー像を用紙に転写する。そして、用紙に転写されたトナー像に熱と圧力を加えて定着させた後、トナー像が形成された用紙を画像形成装置２０の外へ排出する。なお、画像形成部２０７は、本実施形態においてはトナーを用いて用紙に画像を形成するが、インクジェット方式などのインクを用いて用紙に画像を形成する構成としてもよい。
【００３６】
報知部２０９は、青色の光を発するＬＥＤ（Light Emitting Diode）、緑色の光を発するＬＥＤ、紫色の光を発するＬＥＤおよび橙色の光を発するＬＥＤを有している。報知部２０９は、制御部２０１により制御され、ＬＥＤにより青、緑、紫および橙のいずれかの色の光を発する。また、報知部２０９は、音を出力するための電子回路とスピーカを有している。報知部２０９は、制御部２０１により制御され、ピアノの音、トランペットの音、ギターの音およびフルートの音のいずれかを出力する。
【００３７】
記憶部２０２は、データを永続的に記憶する記憶装置を有しており、他の装置から送信されて通信部２０５が受信した文書ファイルや画像ファイル、スキャン部２０６が生成した画像ファイルを記憶する。また、記憶部２０２は、画像形成装置２０が設置されている位置を表す位置情報や端末装置１０から送信される情報を記憶する。
【００３８】
制御部２０１は、ＣＰＵ、ＲＡＭおよび不揮発性メモリーを備えており、不揮発性メモリーに記憶されているオペレーティングシステムのプログラムやアプリケーションプログラムを実行する。
【００３９】
図５は、画像形成装置２０において実現する機能のうち、本発明に係る機能の構成を示したブロック図である。本発明に係る取得手段および第２取得手段の一例である指示取得部２００１は、報知の態様を表す態様情報と、報知を指示する指示情報を取得する。本発明に係る第２の報知手段の一例である報知制御部２００２は、指示取得部２００１が指示情報を取得した場合、取得した態様情報に応じて報知部２０９を制御する。
【００４０】
（実施形態の動作例）
次に本実施形態の動作の一例を説明する。専用アプリを実行している端末装置１０においては、画像形成装置２０Ａ〜２０Ｃのそれぞれについて、端末装置１０が画像形成装置２０に近づいたときに報知部２０９が出力する光の色と、報知部２０９が出力する音の種類を設定可能となっている。
【００４１】
図６は、端末装置１０がアクセスする画像形成装置２０を選択するための画面の一例を示した図である。図６の画面においては、通信回線２を介して端末装置１０がアクセス可能な画像形成装置２０Ａ〜２０Ｃを表すアイコンと、画像形成装置２０Ａ〜２０Ｃを識別する識別子が示され、「ｐｒｉｎｔｅｒ＃１」は画像形成装置２０Ａに対応し、「ｐｒｉｎｔｅｒ＃２」は画像形成装置２０Ｂに対応し、「ｐｒｉｎｔｅｒ＃３」は画像形成装置２０Ｃに対応している。ユーザがタッチパネル１０３Ａにおいて「ｐｒｉｎｔｅｒ＃１」の部分をタップした後、「詳細設定」のボタンをタップすると、端末装置１０は、画像形成装置２０Ａの設定を行うための画面を表示する。
【００４２】
図７は、画像形成装置２０Ａの設定を行うための画面の一例を示した図である。図７に示した画面においては、ユーザは、端末装置１０が画像形成装置２０Ａに近づいたときに報知部２０９が出力する光の色をコンボボックスＣＢ１で設定し、端末装置１０が画像形成装置２０Ａに近づいたときに報知部２０９が出力する音の種類をコンボボックスＣＢ２で設定する。ユーザが、報知部２０９が出力する光の色をコンボボックスＣＢ１にて「青」に設定し、報知部２０９が出力する音の種類をコンボボックスＣＢ２にて「ピアノの音」に設定すると、端末装置１０は、設定された光の色（青）を表す色情報、設定された音の種類（ピアノの音）を表す音情報および端末装置１０の端末装置１０を識別する端末識別子を、まとめて態様情報として記憶する。
【００４３】
次にタッチパネル１０３において、ユーザが記憶部１０２に記憶されている文書ファイルを選択し、選択した文書ファイルが表す文書の印刷を指示する操作を行うと、端末装置１０は、上述した態様情報とユーザが選択した文書ファイルを、図６の画面で選択した画像形成装置２０Ａへ送信する。
画像形成装置２０Ａは、端末装置１０が送信した文書ファイルを取得する。また、画像形成装置２０Ａ（指示取得部２００１）は、端末装置１０が送信した態様情報を取得する。画像形成装置２０Ａは、端末装置１０が送信した態様情報と文書ファイルを記憶部２０２Ａに記憶させる。
【００４４】
態様情報と文書ファイルを送信した端末装置１０は、測位部１０９で端末装置１０の位置と端末装置１０が向いている方向の特定を開始し、端末装置１０が向いている方向を表す方向情報と、端末装置１０の位置を表す位置情報を予め定められた周期で取得する。
【００４５】
また、端末装置１０は、画像形成装置２０Ａの位置情報を要求するメッセージを画像形成装置２０Ａへ送信する。このメッセージを取得した画像形成装置２０Ａは、画像形成装置２０Ａの位置を表す位置情報を端末装置１０へ送信する。端末装置１０（取得部１００１）は、画像形成装置２０Ａから送られた位置情報を取得し、取得した画像形成装置２０Ａの位置情報を記憶する。
【００４６】
図８は、画像形成装置２０Ａの位置情報を記憶した端末装置１０が行う処理の流れを示したフローチャートである。画像形成装置２０Ａの位置情報を記憶した端末装置１０は、記憶した画像形成装置２０Ａの位置情報と、予め定められた周期で測位部１０９が新たに生成した位置情報を比較し、端末装置１０の位置が、ユーザが選択した画像形成装置２０Ａの位置から予め定められた距離の範囲内であるか判断する（ステップＳＡ１）。換言すると、端末装置１０は、端末装置１０と画像形成装置２０との間の距離が、予め定められた距離以下であるか判断する。
【００４７】
端末装置１０は、端末装置１０の位置が画像形成装置２０Ａの位置から予め定められた距離の範囲内ではない場合（ステップＳＡ１でＮＯ）、端末装置１０の位置情報が表す位置と画像形成装置２０の位置情報が表す位置から、端末装置１０から画像形成装置２０Ａまでの距離を特定する（ステップＳＡ２）。また、端末装置１０は、端末装置１０の位置情報が表す位置、画像形成装置２０Ａの位置情報が表す位置および測位部１０９が特定した端末装置１０が向いている方向から、端末装置１０が向いている方向に対して画像形成装置２０Ａが位置する方向を特定する（ステップＳＡ３）。端末装置１０は、画像形成装置２０Ａまでの距離と、端末装置１０が向いている方向に対して画像形成装置２０Ａが位置する方向を特定すると、特定した距離および方向をタッチパネル１０３に表示する（ステップＳＡ４）。これにより、端末装置１０のユーザは、文書の印刷を行う画像形成装置２０Ａまでの距離と、ユーザから見て画像形成装置２０Ａが位置する方向がわかる。端末装置１０は、ステップＳＡ４の処理を終えると、処理の流れをステップＳＡ１へ戻す。
【００４８】
また、端末装置１０（報知制御部１００３）は、端末装置１０の位置が画像形成装置２０Ａの位置から予め定められた距離の範囲内である場合（ステップＳＡ１でＹＥＳ）、ユーザがアクセスした画像形成装置２０Ａがユーザの近くにあることをタッチパネル１０３で報知する（ステップＳＡ５）。
【００４９】
図９は、ステップＳＡ５でタッチパネル１０３に表示される画面の一例を示した図である。これにより、端末装置１０のユーザは、文書の印刷を行う画像形成装置２０Ａが自分の近くにあることがわかる。次に端末装置１０（情報送信部１００２）は、端末装置１０の端末識別子を含み、報知を指示するメッセージ（本発明に係る指示情報の一例）を画像形成装置２０Ａへ送信する（ステップＳＡ６）。
【００５０】
画像形成装置２０Ａ（指示取得部２００１）は、ステップＳＡ６で送信されたメッセージを受信すると、受信したメッセージに含まれている端末識別子を抽出する。画像形成装置２０Ａ（報知制御部２００２）は、記憶部２０２Ａに記憶されている態様情報のうち、抽出した端末識別子を含む態様情報を取得する。ここで、画像形成装置２０Ａが取得する態様情報は、上述した動作により端末装置１０から送信されて記憶部２０２に記憶された態様情報であり、青を表す色情報と、ピアノの音を表す音情報を含んでいる。画像形成装置２０Ａ（報知制御部２００２）は、この色情報に応じて青色の光を出力するように報知部２０９Ａを制御し、この音情報に応じてピアノの音を出力するように報知部２０９Ａを制御する。
【００５１】
このように、端末装置１０が画像形成装置２０Ａに近づくと、報知部２０９Ａは、ユーザが設定した青色の光を出力し、ユーザが設定したピアノの音を出力するため、端末装置１０のユーザは、画像形成装置２０Ａ〜２０Ｃの中から自身が選択した画像形成装置２０Ａを見つけやすくなる。
【００５２】
図９の画面を表示した端末装置１０は、画面にあるＯＫボタンがタップされるのを待つ（ステップＳＡ７でＮＯ）。端末装置１０のユーザは、青色の光とピアノの音を出力している画像形成装置２０Ａを見つけると、図９の画面にある「ＯＫ」のボタンＢ１をタップする。端末装置１０は、図９に示した画面において、ボタンＢ１の部分をタップする操作をユーザが行うと（ステップＳＡ７でＹＥＳ）、端末装置１０は、光および音の出力の停止を指示するメッセージを画像形成装置２０Ａへ送信する（ステップＳＡ８）。端末装置１０は、ステップＳＡ８の処理を終えると、図８に示した処理を終了する。
【００５３】
画像形成装置２０Ａは、端末装置１０がステップＳＡ８で送信したメッセージを取得する。画像形成装置２０Ａは、ステップＳＡ８で送信されたメッセージを取得すると、報知部２０９Ａを制御し、青色の光とピアノの音の出力を停止する。
【００５４】
以上説明したように本実施形態によれば、画像形成装置２０Ａ〜２０Ｃが並べられて設置されていても、使用する画像形成装置２０Ａにユーザが近づくと、画像形成装置２０Ａがユーザの設定した色の光と、ユーザの設定した種類の音を出力するため、ユーザは、使用する画像形成装置２０Ａを容易に見つけることができる。
【００５５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００５６】
（変形例１）
本発明においては、端末装置１０は、予め定められた周期で端末識別子と測位部１０９が生成した位置情報を画像形成装置２０へ送信し、画像形成装置２０は、送信される端末識別子と位置情報を用い、ユーザが近づいたことを検知してもよい。本変形例においては、例えば、端末装置１０は、上述したように態様情報と文書ファイルを画像形成装置２０Ａに送信した後、端末識別子と、測位部１０９が予め定められた周期で測位した位置を表す位置情報を、予め定められた周期で画像形成装置２０へ送信する。画像形成装置２０Ａは、端末装置１０から予め定められた周期で送信される端末識別子と位置情報を取得する。
【００５７】
図１０は、本変形例に係る画像形成装置２０が端末識別子と位置情報を取得した後で行う処理の流れを示したフローチャートである。端末装置１０の位置情報を取得した画像形成装置２０は、記憶部２０２に記憶されている画像形成装置２０Ａの位置情報と、取得した端末装置１０の位置情報を比較し、端末装置１０の位置が画像形成装置２０Ａの位置から予め定められた距離の範囲内であるか判断する（ステップＳＢ１）。
【００５８】
画像形成装置２０Ａは、端末装置１０の位置が画像形成装置２０Ａの位置から予め定められた距離の範囲内ではない場合（ステップＳＢ１でＮＯ）、図１０の処理を終了し、端末識別子と位置情報が端末装置１０から送信されるのを待つ。
【００５９】
画像形成装置２０Ａは、端末装置１０の位置が画像形成装置２０Ａの位置から予め定められた距離の範囲内である場合（ステップＳＢ１でＹＥＳ）、記憶部２０２Ａに記憶されている態様情報のうち、位置情報と共に取得した端末識別子を含む態様情報を取得する（ステップＳＢ２）。換言すると、画像形成装置２０は、端末装置１０と画像形成装置２０との間の距離が予め定められた距離以下である場合、記憶部２０２Ａに記憶されている態様情報のうち、位置情報と共に取得した端末識別子を含む態様情報を取得する。
【００６０】
次に画像形成装置２０Ａは、取得した態様情報に応じて報知部２０９Ａを制御し、光と音を出力する（ステップＳＢ３）。ここで、画像形成装置２０Ａが取得する態様情報は、上述した動作により端末装置１０から送信されて記憶部２０２に記憶された態様情報であり、青を表す色情報と、ピアノの音を表す音情報を含んでいる。画像形成装置２０Ａは、この色情報に応じて青色の光を出力するように報知部２０９Ａを制御し、この音情報に応じてピアノの音を出力するように報知部２０９Ａを制御する。このように、端末装置１０が画像形成装置２０Ａに近づくと、報知部２０９Ａは、ユーザが設定した青色の光を出力し、ユーザが設定したピアノの音を出力するため、端末装置１０のユーザは、画像形成装置２０Ａ〜２０Ｃの中から、文書の印刷を行う画像形成装置２０Ａを見つけやすくなる。
【００６１】
（変形例２）
本発明においては、画像形成装置２０は、報知部２０９から光と音の出力を開始してから予め定められた時間が経過すると、光と音の出力を停止してもよい。
【００６２】
（変形例３）
本発明においては、上述した実施形態の構成と、変形例１の構成の両方を備える構成であってもよい。また、変形例１の構成を備える構成にあっては、端末装置１０において、図８の処理を行わない構成、即ち、端末装置１０が画像形成装置２０に近づいたことを端末装置１０において画面で報知しない構成であってもよい。
【００６３】
（変形例４）
本発明においては、画像形成装置２０は、色情報が表す色の光を報知部２０９から出力しているが、報知部２０９で光を出力するのに替えて、タッチパネル２０４Ａにおいて、色情報が表す色の画面を表示してもよい。
【００６４】
（変形例５）
上述した実施形態においては、端末装置１０が画像形成装置２０に近づくと、画像形成装置２０が光と音を出力しているが、光だけを出力する構成または音だけを出力する構成であってもよい。
【００６５】
（変形例６）
上述した実施形態においては、画像形成装置２０と端末装置１０が近づくと、画像形成装置２０が楽器の音を出力しているが、楽器の音に替えて人間の音声を出力してもよい。
【００６６】
（変形例７）
本発明においては、端末装置１０が画像形成装置２０に近づいたときに画像形成装置２０が出力する光の色と音の種類を図７の画面でユーザが設定するが、画像形成装置２０が光と音を出力する時間を図７の画面で設定する構成としてもよい。本変形例によれば、
端末装置１０から画像形成装置２０までの距離が予め定められた距離の範囲内となったときに、ユーザが設定した時間の間だけ画像形成装置２０から光と音を出力させることができる。
【００６７】
（変形例８）
画像形成装置２０は、報知部２０９で光および音の出力を開始する前に、タッチパネル２０４Ａにおいて、光および音の出力が始まることを報知してもよい本変形例の構成を有していない場合と比較すると、端末装置１０を操作するユーザとは異なるユーザが画像形成装置２０を操作している場合、他のユーザは、光および音の出力が始まることがわかり、光および音の出力に驚くことがない。
【００６８】
（変形例９）
本発明においては、端末装置１０は、端末装置１０から画像形成装置２０までの距離を特定し、特定した距離のうち最短となった距離を記憶してもよい。また、端末装置１０は、最短となった距離を特定した後、端末装置１０から画像形成装置２０までの距離が、記憶している最短距離より長くなった場合、画像形成装置２０から離れて移動していることをタッチパネル１０３でユーザに報知してもよい。
【００６９】
（変形例１０）
本発明においては、図７の画面においてチェックボックスを設け、チェックボックスへのチェックに応じて、報知部２０９が出力する光や音を制御してもよい。例えば、図７の画面において、出力する光について「赤の光を使用しない」とのチェックボックスを設けてもよい。このチェックボックスがチェックされた場合、端末装置１０は、コンボボックスＣＢ１にて赤を選択できないようにする。
【００７０】
この変形例においては、例えば、赤の光が見えにくいユーザが「赤の光を使用しない」とのチェックボックスをチェックすると、報知部２０９が出力する光の色として赤を選択することができなくなり、画像形成装置２０は、ユーザが見えにくい赤の光を出力しなくなる。画像形成装置２０は、端末装置１０から画像形成装置２０までの距離が予め定められた距離の範囲内となったときに赤以外の色の光を出力するため、端末装置１０のユーザが画像形成装置２０を見つけにくくなることがなくなる。
【００７１】
また、図７の画面において、「音を出力しない」とのチェックボックスを設けてもよい。この場合、端末装置１０は、態様情報に含める音情報の内容を、音を出力しないことを表す情報とする。この音情報を含む態様情報を取得した画像形成装置２０は、ステップＳＡ６で端末装置１０から送信されたメッセージを取得すると、報知部２０９から光だけを出力し、音の出力を行わない。
【００７２】
この場合、例えば、音が聞こえないまたは音が聞こえにくいユーザが「音を出力しない」とのチェックボックスをチェックすると、端末装置１０から画像形成装置２０までの距離が予め定められた距離の範囲内となったときに画像形成装置２０が音を出力しないため、音が聞こえないまたは音が聞こえにくいユーザに対してあえて音を出力することがなくなる。
【００７３】
また、図７の画面において、「車椅子を使用」とのチェックボックスを設けてもよい。この場合、端末装置１０は、態様情報に含める色情報の内容を、無色を表す情報とする。この色情報を含む態様情報を取得した画像形成装置２０は、ステップＳＡ６で端末装置１０から送信されたメッセージを取得すると、報知部２０９から光を出力せず、音だけを出力する。車椅子を使用するユーザは、徒歩で移動するユーザより視点が低く、報知部２０９が出力する光が見えにくい場合があるため、この構成によれば、車椅子のユーザから見えにくい光をあえて出力することがなくなる。
【００７４】
（変形例１１）
本発明においては、画像形成装置２０は、音を検知するセンサを有する構成であってもよい。また、音を検知するセンサを画像形成装置２０が有する構成にあっては、検知した音の音量が予め定められた音量未満である場合、報知部２０９からの音の出力を行わないようにしてもよい。この変形例によれば、例えば、静かな場所や、夜間で屋内が静かになった場合、端末装置１０から画像形成装置２０までの距離が予め定められた距離の範囲内となったときに画像形成装置２０が音を出力しないため、静かさを保つことができる。
【００７５】
（変形例１２）
本発明においては、報知部２０９が音を出力する時間帯を端末装置１０または画像形成装置２０で設定可能な構成としてもよい。
【００７６】
（変形例１３）
報知部２０９が出力する光の色と、報知部２０９が出力する音の種類は、画像形成装置２０において画像形成装置２０の管理者が設定する構成であってもよい。この変形例の場合、端末装置１０は、画像形成装置２０から報知部２０９が出力する光の色と、報知部２０９が出力する音の種類を取得し、画像形成装置２０の設定を行うための画面を表示する際に、取得した光の色および音の種類で報知が行われること、を図７の画面においてコンボボックスＣＢ１およびコンボボックスＣＢ２に替えて表示してもよい。
【符号の説明】
【００７７】
１…情報処理システム、２…通信回線、１０１…制御部、１０２…記憶部、１０３…タッチパネル、１０５…通信部、１０７…音声処理部、１０９…測位部、２０１…制御部、２０２…記憶部、２０４…操作部、２０４Ａ…タッチパネル、２０５…通信部、２０６…スキャン部、２０７…画像形成部、２０８…画像処理部、２０９…報知部、１００１…取得部、１００２…情報送信部、１００３…報知制御部、２００１…指示取得部、２００２…報知制御部。
【図１】
2018160011.tif 000003
【図２】
2018160011.tif 000004
【図３】
2018160011.tif 000005
【図４】
2018160011.tif 000006
【図５】
2018160011.tif 000007
【図６】
2018160011.tif 000008
【図７】
2018160011.tif 000009
【図８】
2018160011.tif 000010
【図９】
2018160011.tif 000011
【図１０】
2018160011.tif 000012